(57)【要約】【課題】比較的簡易な構成で、報知すべき地域を対象に、必要な緊急情報を適切に知らせることのできるラジオが望まれる。【解決手段】非常用ラジオ１０は、地域放送受信用の第１チューナー１２と、全国放送受信用の第２チューナー１３とを有する。第１チューナー１２により、その地域に関連する地震情報を受信した時、または第２チューナーにより津波情報を受信した時には、液晶表示パネル２３により、その日の満潮時刻およびラジオのある位置の高度が表示される。さらに、予め接続されているロック装置に対して開閉制御信号が出力される。【効果】非常用ラジオ１０のユーザは、ラジオ１０の表示を見て、避難が必要な場合には迅速に避難をすることができる。その際、家屋内の家具等の扉が適切にロックされたり、解錠されたりするので、揺れによって棚等から荷物が飛び出さず、また、必要な非常用荷物の持ち出しを容易に行うことができる。【選択図】図１
2013029388.tif 000002
【特許請求の範囲】
【請求項１】
地域放送受信用の第１チューナーと、
全国放送受信用の第２チューナーと、
前記第１チューナーまたは第２チューナーで所定の放送を受信したことに応答して、受信した日の満潮時刻を表示するための満潮時刻表示手段と、
前記第１チューナーまたは第２チューナーで所定の放送を受信したことに応答して、受信時の気圧に基づいて、このラジオのある位置の高度を算出して表示するための高度表示手段と、
前記第１チューナーまたは第２チューナーで所定の放送を受信したことに応答して、予め接続されているロック装置に対してロック制御信号を出力するための開閉制御信号出力手段と、
を含むことを特徴とする非常用ラジオ。
【請求項２】
前記第１チューナーは、ユーザが希望する地域を選択する機能およびその選択した地域にある民間放送局名を選択する機能を有し、選択された地域および放送局名により受信周波数が設定されるものであり、
前記第２チューナーは、その地域におけるＮＨＫのＦＭ局が受信可能に設定されていることを特徴とする、請求項１記載の非常用ラジオ。
【請求項３】
ラジオのある位置の高度を予め入力するための高度入力手段を有し、高度が入力されている場合には、前記高度表示手段は受信時の気圧に基づいた高度に入力されている高度を加算した高度表示を行うことを特徴とする、請求項１または２記載の非常用ラジオ。
【請求項４】
前記開閉制御信号出力手段は、前記ラジオに接続されたロック装置の種別に応じて、解錠すべき旨の制御信号を出力するか、閉錠すべき旨の制御信号を出力するかを切り換えることを特徴とする、請求項１〜３のいずれかに記載の非常用ラジオ。
【発明の詳細な説明】
【技術分野】
【０００１】
この発明は、緊急地震速報（地震情報）や緊急警報放送（津波情報）を受信し、ユーザに対して適切な情報を報知するとともに、所定の制御信号を出力する非常用ラジオ（防災ラジオ）に関するものである。
【背景技術】
【０００２】
東日本大震災は我々に津波の驚異を知らしめるとともに、高所への迅速な避難の重要性を再認識させた。地震や津波に対しては、現在、気象庁を起点として緊急地震速報（地震情報）や緊急警報放送（津波情報）を報知するサービスが開始されている。かかる情報は、ＮＨＫおよび民間放送局を通じて全国に発信される。しかし、報知内容は、音声による単なる警告であり、情報の報知が十分に活用されているとは言い難い。
【０００３】
そこで、たとえば緊急地震速報を受信したとき、その情報を分析し、客観的にその時に行う行動パターンを音声により報知することで、適切な避難行動をとることができる緊急地震速報補助装置が提案されている。（たとえば特許文献１）
【先行技術文献】
【特許文献】
【０００４】
【特許文献１】特開２００９−１６９７６５号公報
【発明の概要】
【発明が解決しようとする課題】
【０００５】
先行技術で提案されている緊急地震速報補助装置は、適切な避難行動（行動パターン）を報知できるかもしれないが、装置が複雑であるとともに、ユーザの住んでいる土地や家屋の状況等により、種々異なる行動パターンを適切に報知しなければならず、改善すべき余地が多く残されている。
この発明は、このような背景において、比較的簡易な構成で、設定された地域において、必要な地震、津波の情報を逸早く知らせることのできる非常用ラジオ（防災ラジオ）を提供することを主たる目的とする。
【０００６】
この発明は、また、非常用ラジオが、避難行動時にも役立ち、しかも、家屋内の家具等に対して施錠／解錠を行うことのできる非常用ラジオ（防災ラジオ）を提供することを他の目的とする。
【課題を解決するための手段】
【０００７】
上記の目的を達成するための請求項１記載の発明は、地域放送受信用の第１チューナーと、全国放送受信用の第２チューナーと、前記第１チューナーまたは第２チューナーで所定の放送を受信したことに応答して、受信した日の満潮時刻を表示するための満潮時刻表示手段と、前記第１チューナーまたは第２チューナーで所定の放送を受信したことに応答して、受信時の気圧に基づいて、このラジオのある位置の高度を算出して表示するための高度表示手段と、前記第１チューナーまたは第２チューナーで所定の放送を受信したことに応答して、予め接続されているロック装置に対してロック制御信号を出力するための開閉制御信号出力手段と、を含むことを特徴とする非常用ラジオである。
【０００８】
請求項２記載の発明は、前記第１チューナーは、ユーザが希望する地域を選択する機能およびその選択した地域にある民間放送局名を選択する機能を有し、選択された地域および放送局名により受信周波数が設定されるものであり、前記第２チューナーは、その地域におけるＮＨＫのＦＭ局が受信可能に設定されていることを特徴とする、請求項１記載の非常用ラジオである。
【０００９】
請求項３記載の発明は、ラジオのある位置の高度を予め入力するための高度入力手段を有し、高度が入力されている場合には、前記高度表示手段は受信時の気圧に基づいた高度に入力されている高度を加算した高度表示を行うことを特徴とする、請求項１または２記載の非常用ラジオである。
請求項４記載の発明は、前記開閉制御信号出力手段は、前記ラジオに接続されたロック装置の種別に応じて、解錠すべき旨の制御信号を出力するか、閉錠すべき旨の制御信号を出力するかを切り換えることを特徴とする、請求項１〜３のいずれかに記載の非常用ラジオである。
【発明の効果】
【００１０】
この発明によれば、第１チューナーにより、ラジオが受信可能な地域における緊急地震速報のみを受信して、その地域に地震による揺れが生じる場合に、それを逸早くユーザーに知らせることができる。また、第２チューナーは、緊急警報放送（津波情報）を受信するので、その津波情報を報知することができる。そして、その地域に地震や津波が来る恐れがある時には、満潮時刻およびラジオがある位置の高度が表示されるため、ユーザはその表示に基づき迅速に安全な場所へ避難等をすることができる。さらに、ラジオに対して信号線等で予め接続されているロック装置が、解錠または閉錠されるから、家屋内の家具や扉等を適切にロックしたり、解錠できる。
【図面の簡単な説明】
【００１１】
【図１】図１は、この発明の一実施形態に係る非常用ラジオの構成を表わすブロック図である。
【図２】図２は、図１に示す非常用ラジオの初期設定処理の内容を示すフローチャートである。
【図３】図３は、非常用ラジオの動作を表わすフローチャートである。
【図４】図４は、食器棚３０に設けられたロック装置３１と、非常ラジオ１０を表わす模式図で、（Ａ）は通常時、（Ｂ）は地震時を示す。
【図５】図５は、非常用収納庫のロック装置と非常用ラジオ１０との関係を表わす図解的な図であり、（Ａ）は通常の状態（扉が閉じた状態）、（Ｂ）は地震または津波が発生して扉が開いた状態を示す。
【図６】図６は、非常用ラジオとロック装置との他の連結構成例を示す図である。
【図７】図７は、海岸に隣接した家に住んでいるユーザが、非常用ラジオ１０を活用してどのように行動するかの一例を示す図である。
【発明を実施するための形態】
【００１２】
以下には、図面を参照して、この発明の実施形態について詳細に説明をする。
図１は、この発明の一実施形態に係る非常用ラジオの構成を表わすブロック図である。非常用ラジオ１０には、アンテナ１１、第１チューナー１２、第２チューナー１３、アンプ（増幅器）１４およびスピーカ１５が備えられている。これらアンテナ１１、第１チューナー１２、第２チューナー１３、アンプ１４およびスピーカ１５は、ラジオとしての基本機能構成部品である。第１チューナー１２で受信された放送および第２チューナー１３で受信された放送は、切換スイッチ２６を介してアンプ１４へ与えられ、スピーカ１５から放送内容が出力される。
【００１３】
この非常用ラジオ１０では、アンテナ１１に対して第１チューナー１２および第２チューナー１３が並列に設けられている。第１チューナー１２は、地域放送受信用のチューナーで、地域放送のＡＭ局またはＦＭ局を選局するものである。第２チューナー１３は、全国放送受信用のチューナーで、ＮＨＫのＦＭ局を選局する。
このように地域放送受信用の第１チューナー１２および全国放送受信用の第２チューナー１３を並列的に設けた理由は、次の通りである。地震を知らせる「緊急地震速報（ＥＥＷ）」は、ＮＨＫおよび民間放送局から放送される。津波を知らせる放送は「緊急警報放送（ＥＷＳ）」で、これはラジオのＮＨＫ−ＦＭにより放送される。従って、１つのチューナーで両方の放送を受信しようとした場合、どうしても「緊急地震速報（ＥＥＷ）」をＮＨＫ−ＦＭ放送による全国ネットで受信しなければならなくなる。このため、特定の地域へ向けての緊急地震速報を、地震の影響のない地域であっても受信することになってしまう。この発明では、かかる不具合をなくすため、チューナーを「緊急地震速報（ＥＥＷ）」用と、「緊急警報放送（ＥＷＳ）」用とに、それぞれ別々に設け、地震放送も、津波放送も、地域を設定して、必要な情報だけがラジオから報知される構成にしている。
【００１４】
図１を参照して、非常用ラジオ１０には、さらに、第１チューナー１２および第２チューナー１３で受信された信号から特定の信号を抽出するためのフィルタ１６、主として第２チューナー１３で受信された信号から音声認識を行う音声認識回路１８、およびこれらの出力が入力されるＣＰＵ１７が備えられている。音声認識回路１８は、予め定められた複数の言葉、たとえば「ツナミ」「ヒナン」「タカダイ」「シンドロク」「地名」などを認識してＣＰＵに信号を与える。また、入力設定器１９、満潮干潮データユニット２０、時計ユニット２１および気圧計２２が備えられており、これらからの情報はＣＰＵ１７へ与えられる。
【００１５】
入力設定器１９により、電源のオン／オフや第１チューナー１２および第２チューナー１３のチューニング（選局設定）も行うことができる。ＣＰＵ１７は、第１チューナー１２または第２チューナー１３が緊急放送を受信したことに応じ、所定の演算や処理を実行し、待機状態（電源オフ状態）の非常用ラジオ１０のアンプ１４をオンにして、自動的に非常用ラジオ１０を動作させることができる。また、液晶表示パネル・ＬＥＤランプ２３に信号を与え、ＬＥＤランプを点灯・点滅させたり、液晶表示パネルに所定の情報を表示させる。さらにロック装置（後述する）の開閉制御用の制御信号ユニット２４を制御して、後述するロック装置の開閉を行わせる。制御信号ユニット２４は、有線により制御信号を出力するものでもよいし、特定小電力または微弱電波によるワイヤレス方式で制御信号を出力するものでもよい。
【００１６】
さらに、避難すべきこと等を音声で出力するための音声出力ユニット２５が備えられている。なお、音声出力ユニット２５をなくし、その機能をアンプ１４およびスピーカ１５で構成することも可能である。
また、非常用ラジオ１０には、電源プラグ２７から電源回路２８に電力が与えられ、各部へ電力が供給される。電源プラグ２７からの電力供給に代えて、内蔵の電池２９によって電力を供給することもできる。
【００１７】
図２は、図１に示す非常用ラジオ１０の初期設定処理の内容を示すフローチャートである。非常用ラジオ１０は、ユーザが使用に際し、まず、入力設定器１９を操作して、図２に示す初期設定を行っておく必要がある。
初期設定では、まず、第１チューナー１２の選局を行う（ステップＰ１）。第１チューナー１２は、地域放送受信用のチューナーであり、たとえば、入力設定器１９の選局セレクト画面から希望する地域を選択し、放送局名を選択し、ＡＭ局またはＦＭ局を設定するといった選局設定を行う。あるいは、周波数変更ボタンで、直接選局設定することも可能である。たとえば、この非常用ラジオ１０のユーザが、大阪府吹田市に住んでいる場合、第１チューナー１２をＡＭ局のＡＢＣ朝日放送（１００８ｋＨｚ）に選局設定する。
【００１８】
同様に、入力設定器１９を操作して、第２チューナー１３の選局設定を行う（ステップＰ２）。第２チューナーは、緊急警報放送（ＥＷＳ）、すなわち津波情報が受信できるように、ＮＨＫ−ＦＭ局を選局設定する。たとえばこの非常用ラジオ１０のユーザが、大阪府吹田市に在住であれば、そこで聞こえるＮＨＫ−ＦＭ局（８８．１ＭＨｚ）に選局設定する。
【００１９】
さらに、入力設定器１９により、地名・地域設定ならびに言葉（単語）設定を行う（ステップＰ３）。地名・地域設定は、緊急警報放送（津波情報）の際に、その地域に影響のある放送か否かを区別するために用いるものであり、たとえば「大阪」「近畿地方」等の設定を行う。また、言葉（単語）設定では、「震度」「マグニチュード」「津波」などの言葉を設定する。これら地名・地域設定や言葉（単語）設定では、ユーザが任意の言葉を入力できる他、入力設定器１９に予め登録された地名、地域名、言葉（単語）の中からユーザが所望するものを選択できるようにされている。
【００２０】
さらに、ロック装置用制御信号設定を行う（ステップＰ４）。ロック装置用制御信号設定とは、この非常用ラジオ１０と信号線によりつながれた家具の扉に設けられた例えばサーボ式ロック装置に対し、ロックを解除する動作をさせるか、ロックする動作をさせるかの制御信号の設定である。たとえば、非常用ラジオ１０が食器棚の扉のロック装置を制御でき、かつ、玄関脇の非常用収納庫のロック装置を制御できる構成である場合において、食器棚の扉のロック装置に対しては、非常時にロックする制御信号を出力し、非常用収納庫のロック装置には、非常時にロックを解除する制御信号を出力するように、初期設定を行う。
【００２１】
図３は、非常用ラジオ１０の動作を表わすフローチャートである。次に、図３の流れに従って、非常用ラジオ１０の動作（制御動作および機能）の説明をする。
図２で説明したように初期設定が行われた非常用ラジオ１０は、ユーザの家の所定の場所に置かれていて、通常は電源プラグ２７から電力が供給されて待機状態になっている（ステップＳ１）。待機状態は、緊急放送を受信可能な状態である。この状態で、ユーザが、入力設定器１９を操作して非常用ラジオ１０の電源をオンすれば、第１チューナー１２または第２チューナー１３により所定の放送を受信して、通常のラジオとして放送内容を聞くことができる（ステップＳ２）。
【００２２】
一方、非常用ラジオ１０の電源がオンされていない待機状態では、非常用ラジオ１０からは放送が聞こえて来ないが、非常用ラジオ１０は緊急放送を受信可能な状態で待機している（ステップＳ１）。
この状態で、第１チューナー１２により緊急地震速報（ＥＥＷ）が受信されると（ステップＳ３でＹＥＳ）、ＣＰＵ１７はアンプ１４をオンして、また、第１チューナー２の受信信号がアンプ１４に伝達されるようにスイッチ２６を切り換えて、緊急地震速報の内容がスピーカ１５から報知される（ステップＳ６）。また、ステップＳ３で、緊急地震速報が受信されない場合であっても、第２チューナー１３により緊急警報放送（ＥＷＳ）が受信された場合には（ステップＳ４でＹＥＳ）、音声認識ユニット１８から出力される音声信号に基づき非常用ラジオ１０がある地域に関係した緊急警報放送（津波情報）であるか否かの判別がされる（ステップＳ５）。そして関係ある地域の津波情報である場合は、ＣＰＵ１７はアンプ１５をオンし、スイッチ２６を切り換えて、緊急警報放送（ＥＷＳ）の内容をスピーカ１５から出力する（ステップＳ６）。
【００２３】
さらに、ＣＰＵ１７では、気圧計１２で測定された気圧に基づき、非常用ラジオ１０がある場所の高度を算出する。この高度算出は、その時の気圧に基づき、非常用ラジオ１０のある場所をゼロ点とした高度を算出する。しかし、入力設定器１９により、ユーザが自分が住んでいる場所の高度を前もって入力している場合には、その入力された高度（数値）が加算された高度を算出する（ステップＳ７）。
【００２４】
また、ＣＰＵ１７は、満潮干潮データユニット２０のデータおよび時計ユニット２１の時刻に基づき、その日の満潮時刻を検出する。そして検出したその日の満潮時刻および上記算出したその場所の高度を、液晶表示パネル・ＬＥＤランプ２３で表示する（ステップＳ８）。また、表示に加え、音声出力ユニット２５により、その日の満潮時刻や高度を音声で繰り返し出力するようにしてもよい。
【００２５】
さらに、ＣＰＵ１７は、ロック装置用制御信号ユニット２４から、信号ラインで接続されている家具や収納庫のロック装置に対し、予め設定されている制御信号を出力する（ステップＳ９）。この制御信号を受けて、たとえば食器棚のロック装置がロックされ、地震による揺れがあっても、食器棚の扉が開かず、中の食器が揺れ落ちないようにすることができる。また、非常用収納庫のロック装置が解除され、避難時等に収納庫にロックが掛かっているといった状態をなくし、中の非常用持ち出し品をスムーズに取り出せる。
【００２６】
ＣＰＵ１７は、緊急地震速報または緊急警報放送の内容から、さらには、満潮時刻や算出した高度の情報から、避難が必要か否かの判別を行う（ステップＳ１０）。そして避難が必要と判別した場合には、音声出力ユニット２５を用いて避難すべき旨の報知を行う（ステップＳ１１）。
次に、図３のステップＳ９で説明したロック装置用制御信号出力に関連して、ロック装置の動作についてより具体的に説明をする。非常用ラジオ１０の制御信号ユニット２４から出力される制御信号は、家具の扉や収納庫の扉に備えられたロック装置の例えばサーボモータを駆動させて、ロックをしたり、ロックを解除したりすることができる。この制御信号は、出力対象物により、制御内容を換えることができる。たとえば、
（１）地震時に扉のロックを行う、予め設定した時間後にロックを解除する（食器棚など地震時に扉が開かない機構）。
（２）地震時に扉のロックを解除し、予め設定した時間後にロックをする（非常用収納庫等の扉の制御に有効）。
【００２７】
より具体的な構成を、図４に基づいて説明する。図４は、食器棚３０に設けられたロック装置３１を表わす模式図で、（Ａ）は通常時、（Ｂ）は地震時を示している。通常時には、食器棚３０のロック装置３１は解錠されており、食器棚の扉３２は自由に開けることができる。一方、地震時には、（Ｂ）に示すように、非常用ラジオ１０によりロック装置３１に対してロックすべき制御信号が与えられるので、ロック装置３１は扉３２が開かないようにロックする。これにより、地震により食器棚３０が揺れても、中の食器が飛び出したりすることがない。
【００２８】
なお、図４において、非常用ラジオ１０の動作と地震現象との時系列的な関係は、次のようになる。
（１）地震が発生
（２）緊急地震速報を受信
（３）警報信号をフィルタで認識
（４）非常用ラジオ１０がオン
（５）非常用ラジオ１０に付いているＬＥＤランプ２３が点灯
（６）満潮時刻の表示
（７）高度の表示
（８）制御信号が与えられ、ロック装置３１が動作
（９）食器棚の扉がロックされる
（１０）地震到達（Ｓ波）
図５は、非常用収納庫のロック装置と非常用ラジオ１０との関係を表わす図解的な図であり、（Ａ）は通常の状態（扉が閉じた状態）、（Ｂ）は地震または津波が発生して扉が開いた状態を示している。
【００２９】
収納庫３５には例えば蝶番式開閉扉３６が備えられており、（Ａ）において、扉３６は蝶番３７に組み込まれたばねの力により、ロックされていなければ自動的に開成するように弾力付勢されている。サーボ式ロック装置３８は、扉３６が閉じた状態で、扉３６を閉成状態にロックする。非常用ラジオ１０はサーボ式ロック装置３８とワイヤレス方式で接続されていて、非常用ラジオ１０の制御信号ユニット２４からの制御信号によりサーボ式ロック装置３８が、ロック状態からロック解除状態に動作するようになっている。
【００３０】
このため、図５（Ａ）に示すように、通常状態では、非常用ラジオ１０からの信号を受けないサーボ式ロック装置３８は、扉３６を閉成状態にロックしている。一方、地震または津波が発生し、非常用ラジオ１０からサーボ式ロック装置３８に制御信号が与えられると、サーボ式ロック装置３８は解錠し、扉３６は蝶番３７のばねの力によって自動的に開く。
【００３１】
なお、図６に示すように、サーボ式ロック装置３８のサーボモータを駆動するための電源回路３９と、非常用ラジオ１０に電力を供給するための電源回路とを共用し、電源回路３９から非常用ラジオ１０を取り外せるような構成としてもよい。この場合において、電源回路３９から非常用ラジオ１０を取り外した際に、自動的にロック装置３８に制御信号が与えられ、ロック装置が解錠する（あるいはロックされる）構成としてもよい。
【００３２】
図７に、海岸に隣接した家に住んでいるユーザが、非常用ラジオ１０を活用してどのように行動するかの一例を示す。
図７（Ａ）に示すように、玄関近くに非常用グッズ収納庫３５が設置されている。図７（Ｂ）に示すように、津波が発生すると、ＮＨＫ−ＦＭ局を介して緊急警報放送が送信され、非常用ラジオ１０は当該緊急警報放送を受信して、津波の発生を報知する。また、制御信号出力ユニット２４から非常用グッズ収納庫３５のロック装置３８に制御信号を送り、収納庫３５の扉が自動的に開成される。また、制御信号出力ユニット２４からＬＥＤランプ５０へ点灯信号が与えられ，ＬＥＤランプ５０が点灯する。収納庫３５内には非常用グッズがたとえばリュックサックに詰めて置かれている。ユーザは、非常用ラジオ１０の放送を聞き、また液晶表示パネル・ＬＥＤランプ２３の表示を確認し、避難すべき旨の報知に基づいて非常用ラジオ１０およびリュックサックを持ち出して避難を始める。ユーザは非常用ラジオ１０の情報を聞きながら、また満潮時刻を確認し、かつ、高さを確認しながら、津波の到達しない高所へ迅速に避難する。
【００３３】
この発明は、以上説明した実施形態に限定されるものではなく、特許請求の範囲に記載の範囲内において種々の変更が可能である。
たとえば、図１を参照して説明した非常用ラジオ１０の構成において、音声認識ユニット１８を省略した、より簡易な構成とすることができる。音声認識ユニット１８は、受信した放送に含まれるアナウンサーの声に基づいて、津波の来る恐れのある地域、地震の震度等を認識するものであるが、かかる音声認識ユニット１８は高価であるから、これを省略し、緊急地震速報（ＥＥＷ）や緊急警報放送（ＥＷＳ）に含まれる情報信号をフィルタ１６を介して抽出し、地域情報等を得るような構成としてもよい。
【００３４】
また、非常用ラジオ１０が受信可能なＦＭ放送の周波数帯域を６４〜１０８ＭＨｚとし、全国各地で発信されている同報放送（防災無線）を聞けるようにしてもよい。
【符号の説明】
【００３５】
１０    非常用ラジオ（防災ラジオ）
１２    第１チューナー（地域放送受信用）
１３    第２チューナー（全国放送受信用）
１４    アンプ
１５    スピーカ
１６    フィルタ
１７    ＣＰＵ
１８    音声認識ユニット
１９    入力設定器
２０    満潮干潮データユニット
２１    時計ユニット
２２    気圧計
２３    液晶表示パネル・ＬＥＤランプ
２４    制御信号ユニット
３１、３８    ロック装置
【図１】
2013029388.tif 000003
【図２】
2013029388.tif 000004
【図３】
2013029388.tif 000005
【図４】
2013029388.tif 000006
【図５】
2013029388.tif 000007
【図６】
2013029388.tif 000008
【図７】
2013029388.tif 000009